(57)【要約】【課題】本発明は、小型化された配線モジュールを提供する。【解決手段】配線モジュール１３であって、蓄電素子群１２に取り付けられると共に蓄電素子１１と反対側の側面に開口部２６を有する樹脂プロテクタ２３と、樹脂プロテクタ２３の開口部２６内に収容されると共に隣り合う蓄電素子１１の電極端子１４同士を接続するバスバー２２と、樹脂プロテクタ２３の開口部２６を覆う絶縁性のカバー４４と、を備え、樹脂プロテクタ２３には開口部２６が形成された側面にカバー４４を係止するカバー係止部５０が設けられており、カバー４４にはカバー係止部５０に係止するカバー係止受け部５３が設けられており、樹脂プロテクタ２３のうち開口部２６の開口方向と交差する側壁の外面にはカバー４４をロックするカバーロック部４５が設けられており、カバー４４にはカバーロック部４５に弾性的に係止するカバーロック受け部４６が設けられている。【選択図】図８
2014149982.tif 000002
【特許請求の範囲】
【請求項１】
一対の電極端子を備えた蓄電素子を複数個並べてなる蓄電素子群に取り付けられる配線モジュールであって、
前記蓄電素子群に取り付けられると共に前記蓄電素子と反対側の側面に開口部を有する樹脂プロテクタと、
前記樹脂プロテクタの開口部内に収容されると共に隣り合う前記蓄電素子の前記電極端子同士を接続するバスバーと、
前記樹脂プロテクタの開口部を覆う絶縁性のカバーと、を備え、
前記樹脂プロテクタには前記開口部が形成された側面に前記カバーを係止するカバー係止部が設けられており、前記カバーには前記カバー係止部に係止するカバー係止受け部が設けられており、
前記樹脂プロテクタのうち前記開口部の開口方向と交差する側壁の外面には前記カバーをロックするカバーロック部が設けられており、前記カバーには前記カバーロック部に弾性的に係止するカバーロック受け部が設けられている配線モジュール。
【請求項２】
前記カバー係止部は、前記開口方向に突出する基部と、前記基部の先端から前記開口方向と交差する方向に突出する突出部と、を備え、
前記カバー係止受け部は、前記カバーに形成された貫通孔の孔縁部であって、
前記カバー係止部が前記貫通孔内に挿通された状態で、前記突出部が前記孔縁部に前記開口方向と反対方向から当接することにより前記カバーの前記開口方向への外れ止めがなされる請求項１に記載の配線モジュール。
【請求項３】
前記突出部は前記カバーロック部から離間する方向に延出して形成されており、
前記カバー係止部は、前記貫通孔内に挿通された後に、前記カバーロック部に接近する方向にスライドされることにより、前記カバー係止受け部と係止する請求項２に記載の配線モジュール。
【請求項４】
前記カバーは、前記カバー係止受け部と前記カバーロック受け部との間に、前記カバーの厚さ方向に屈曲する屈曲部を備える請求項１ないし請求項３のいずれか一項に記載の配線モジュール。
【発明の詳細な説明】
【技術分野】
【０００１】
本発明は、複数の蓄電素子が並べられた蓄電素子群に取り付けられる配線モジュールに関する。
【背景技術】
【０００２】
例えば電気自動車やハイブリッド車両に搭載される蓄電モジュールは、一般に、多数の蓄電素子を、バスバーを介して電気的に接続することにより構成されている。このような蓄電モジュールとしては特許文献１に記載のものが知られている。この蓄電ジュールにおいては、バスバーは合成樹脂製の樹脂プロテクタに収容されている。樹脂プロテクタには絶縁性の合成樹脂からなるカバーが取り付けられている。このカバーによりバスバーが覆われている。これにより、バスバーに異物が接触して短絡することが抑制されるようになっている。
【０００３】
特許文献１に記載された蓄電モジュールにおいては、樹脂プロテクタの側壁には外方に突出するカバーロック部が形成されており、カバーにはカバーロック部に係止するカバーロック受け部が形成されている。カバーロック部とカバーロック受け部とが係止することにより、カバーが樹脂プロテクタに取り付けられるようになっている。
【先行技術文献】
【特許文献】
【０００４】
【特許文献１】特開２００１−３３２２３５号公報
【発明の概要】
【発明が解決しようとする課題】
【０００５】
しかしながら上記の構成によると、カバーロック部が樹脂プロテクタの側壁から外方に突出して形成されているので、配線モジュールが大型化することが懸念される。特に、樹脂プロテクタの両側壁にカバーロック部が形成されている場合には、問題となる。
【０００６】
本発明は上記のような事情に基づいて完成されたものであって、小型化された配線モジュールを提供することを目的とする。
【課題を解決するための手段】
【０００７】
本発明は、一対の電極端子を備えた蓄電素子を複数個並べてなる蓄電素子群に取り付けられる配線モジュールであって、前記蓄電素子群に取り付けられると共に前記蓄電素子と反対側の側面に開口部を有する樹脂プロテクタと、前記樹脂プロテクタの開口部内に収容されると共に隣り合う前記蓄電素子の前記電極端子同士を接続するバスバーと、前記樹脂プロテクタの開口部を覆う絶縁性のカバーと、を備え、前記樹脂プロテクタには前記開口部が形成された側面に前記カバーを係止するカバー係止部が設けられており、前記カバーには前記カバー係止部に係止するカバー係止受け部が設けられており、前記樹脂プロテクタのうち前記開口部の開口方向と交差する側壁の外面には前記カバーをロックするカバーロック部が設けられており、前記カバーには前記カバーロック部に弾性的に係止するカバーロック受け部が設けられている。
【０００８】
本発明によれば、カバー係止部とカバー係止受け部とが係止すると共にカバーロック部とカバーロック受け部とが係止することにより、カバーが樹脂プロテクタに取り付けられる。カバー係止部は樹脂プロテクタのうち蓄電素子と反対側の位置に形成されているので、カバー係止部が樹脂プロテクタの側壁から外方に突出しないようになっている。これにより、樹脂プロテクタの両側壁に外方に突出するカバーロック部を形成する場合に比べて、配線モジュールを小型化することができる。
【０００９】
本発明の実施態様としては以下の態様が好ましい。前記カバー係止部は、前記開口方向に突出する基部と、前記基部の先端から前記開口方向と交差する方向に突出する突出部と、を備え、前記カバー係止受け部は、前記カバーに形成された貫通孔の孔縁部であって、前記カバー係止部が前記貫通孔内に挿通された状態で、前記突出部が前記孔縁部に前記開口方向と反対方向から当接することにより前記カバーの前記開口方向への外れ止めがなされることが好ましい。
【００１０】
上記の態様によれば、カバー係止部を貫通孔に挿通するという簡易な手法により、カバーが開口部の開口方向に外れることを抑制することができる。
【００１１】
前記突出部は前記カバーロック部から離間する方向に延出して形成されており、前記カバー係止部は、前記貫通孔内に挿通された後に、前記カバーロック部に接近する方向にスライドされることにより、前記カバー係止受け部と係止することが好ましい。
【００１２】
上記の態様によれば、カバー係止部は、カバーロック部に接近する方向からカバー係止受け部に係止する。これにより、カバーロック部とカバーロック受け部との係止構造が外れる方向にカバーが移動することを抑制することができる。この結果、カバーと樹脂プロテクタとを強固に係止させることができる。
【００１３】
前記カバーは、前記カバー係止受け部と前記カバーロック受け部との間に、前記カバーの厚さ方向に屈曲する屈曲部を備えることが好ましい。
【００１４】
上記の態様によれば、カバーを屈曲部で屈曲させながら、カバーロック部とカバーロック受け部とを係止することができる。これにより、カバーが剛直な材料からなることによりカバーの厚さ方向に折り曲げにくくなっている場合に比べて、カバーを樹脂プロテクタに取り付ける際の作業性を向上させることができる。
【発明の効果】
【００１５】
本発明によれば、配線モジュールを小型化することができる。
【図面の簡単な説明】
【００１６】
【図１】図１は本発明の実施形態１に係る蓄電素子群を示す平面図である。
【図２】図２は蓄電モジュールを示す平面図である。
【図３】図３は蓄電素子を示す側面図である。
【図４】図４は配線モジュールを示す平面図である。
【図５】図５はカバーが取り付けられる前の状態の蓄電モジュールについて、図４におけるＶ−Ｖ線に相当する位置で切断した断面図である。
【図６】図６は接続検知部がコネクタに干渉した状態を示す断面図である。
【図７】図７はカバーを示す平面図である。
【図８】図８は蓄電モジュールを示す断面図である。
【図９】図９はカバーの貫通孔にカバー係止部を挿通される工程を示す断面図である。
【図１０】図１０はカバーロック部とカバーロック受け部とを係合させる工程を示す断面図である。
【発明を実施するための形態】
【００１７】
＜実施形態１＞
本発明の実施形態１を、図１ないし図１０を参照しつつ説明する。本実施形態に係る蓄電モジュール１０は、電気自動車又はハイブリッド自動車等の車両（図示せず）に搭載されて、車両を駆動するための電源として使用される。
【００１８】
蓄電モジュール１０は、複数（本実施形態では１０個）の蓄電素子１１を並べてなる蓄電素子群１２を有し（図１参照）、蓄電素子群１２には配線モジュール１３が取り付けられている（図２参照）。以下の説明において、複数の同一部材については、一の部材に符号を付し、他の部材については符号を省略することがある。また、以下の説明においては、図３における上方を上方とし、下方を下方として説明する。また、図３における左方を左方とし、右方を右方として説明する。
【００１９】
（蓄電素子１１）
図１に示すように蓄電素子１１は扁平な略直方体形状をなしている。図３に示すように蓄電素子１１の上面には一対の電極端子１４，１４が突出して形成されている。一対の電極端子１４，１４の一方は正極であり、他方は負極である。一対の電極端子１４，１４は同形同大である。各電極端子１４の上面には下方に延びるボルト孔１５が形成されている。ボルト孔１５の内部にはねじ山が形成されており、ボルト１６が螺合されるようになっている。複数の蓄電素子１１は、隣り合う電極端子１４が異なる極性となるように配置されている。本実施形態に係る蓄電素子１１は蓄電池であって、その内部には、複数（本実施形態では４つ）の単電池（図示せず）が電気的に接続された状態で収容されている。
【００２０】
図１及び図３に示すように、一対の電極端子１４，１４の間には、上方が開口した筒状のフード部１７が設けられている。フード部１７の外壁には、コネクタ１８に係止するコネクタロック部１９が突出して形成されている。
【００２１】
図１に示すように、フード部１７内には、４つの電圧出力端子２０がフード部１７内に突出して配されている。各電圧出力端子２０は、蓄電素子１１内に収容された各単電池と電気的に接続されている。電圧出力端子２０は、コネクタ１８に収容された検出端子２１と電気的に接続されるようになっている。
【００２２】
（配線モジュール１３）
図４に示すように、配線モジュール１３は、隣り合う蓄電素子１１の正極の電極端子１４および負極の電極端子１４に接続される金属製の複数のバスバー２２と、バスバー２２が収容された合成樹脂製の樹脂プロテクタ２３と、を備える。
【００２３】
（バスバー２２）
バスバー２２は、銅、銅合金、ステンレス鋼（ＳＵＳ）、アルミニウム、アルミニウム合金等の金属からなる板材を所定の形状にプレス加工することにより形成され、全体として略長方形状をなしている。バスバー２２の表面には、スズ、ニッケル等の金属がメッキされていてもよい。バスバー２２には、ボルト１６が挿通される一対の挿通孔２４，２４が、バスバー２２を貫通して形成されている。挿通孔２４は上方から見て略円形状をなしている。
【００２４】
図５に示すように、挿通孔２４の内径は、電極端子１４のボルト孔１５の内径よりも若干大きく設定されている。ボルト１６が挿通孔２４内に挿通されると共に電極端子１４のボルト孔１５に螺合されて、ボルト１６の頭部と電極端子１４との間にバスバー２２が挟まれることにより、電極端子１４とバスバー２２とが電気的に接続されるようになっている。
【００２５】
（樹脂プロテクタ２３）
樹脂プロテクタ２３は、複数の連結ユニットを連結してなり、図４に示すように、蓄電素子１１の並び方向（図４における左右方向）に細長い形状をなしている。
【００２６】
樹脂プロテクタ２３には、バスバー２２が収容される複数のバスバー収容部２５が、樹脂プロテクタ２３の長手方向に沿って並んで形成されている。複数のバスバー収容部２５は２列に並んで設けられている。バスバー収容部２５の上面（蓄電素子１１と反対側の側面）には上方（蓄電素子１１と反対方向）に開口する開口部２６を備える。バスバー収容部２５の内面には、内方に突出すると共にバスバー２２が上方に抜けるのを防止する複数のバスバー係止爪２７が形成されている。
【００２７】
２つのバスバー収容部２５の列の間には、複数のコネクタ保持部２８が、樹脂プロテクタ２３の長手方向に並んで設けられている。コネクタ保持部２８内にはコネクタ１８が保持されるようになっている。コネクタ保持部２８は、コネクタ１８の外周に沿った形状をなしている。コネクタ保持部２８の上端部には、コネクタ保持部２８内に保持されたコネクタ１８が上方に外れることを抑制する抜け止め部２９が形成されている。
【００２８】
コネクタ保持部２８と各バスバー収容部２５の間にはそれぞれ電線収容溝３０が設けられている。本実施形態では、コネクタ保持部２８の左方及び右方のそれぞれに、電線収容溝３０が設けられている。電線収容溝３０内には、複数の電線３１が収容される。これらの電線３１は、コネクタ保持部２８に保持されるコネクタ１８から導出される。電線収容溝３０の側壁の上端縁には、電線収容溝３０から電線３１のはみ出しを規制する電線保持部３２が、一方の側壁から他方の側壁に架け渡されるように設けられている。電線保持部３２は、隣り合うバスバー収容部２５の間に位置して設けられている。
【００２９】
（コネクタ１８）
コネクタ保持部２８に保持されるコネクタ１８は合成樹脂製であって、略直方体形状をなしている。コネクタ１８には、フード部１７に形成されたコネクタロック部１９に係止するコネクタロック受け部３３が形成されている。また、コネクタ１８には、４つの検出端子２１が収容されている。
【００３０】
図５に示すように、コネクタ１８は、検出端子２１が収容されるタワー部３４を備える。タワー部３４には複数のキャビティ３５が横並びに形成されており、キャビティ３５内に検出端子２１が収容されている。キャビティ３５内には、内方に突出する撓み変形可能なランス３６が形成されている。ランス３６が検出端子２１に弾性的に係合することにより検出端子２１がキャビティ３５から外れることが抑制されるようになっている。
【００３１】
コネクタ１８にはタワー部３４の外周を囲むように覆い壁３７が形成されている。タワー部３４はフード部１７の内部に嵌合するようになっている。タワー部３４と覆い壁３７との間には、フード部１７が受け入れられる隙間３８が形成されている。
【００３２】
コネクタ１８に収容されている検出端子２１は所謂雌型の検出端子２１であり、上端部には電線３１が接続されるバレル部３９が形成され、下端部には筒状をなすと共に単電池の電圧出力端子２０と接続可能な接続筒部４０が形成されている。
【００３３】
バレル部３９が電線３１の端末に圧着されることにより、電線３１と検出端子２１とが電気的に接続される。また、接続筒部４０の内部には、図示しない弾性接触片が形成されており、弾性接触片と電圧出力端子２０とが接触することにより単電池とコネクタ１８の検出端子２１とが電気的に接続されるようになっている。
【００３４】
検出端子２１は、蓄電素子１１に収容された各単電池の状態を検出するものであって、本実施形態においては単電池の電圧を検出する。検出端子２１に接続された電線３１は、コネクタ１８の上面から外側に導出され、例えばＥＣＵなどのようなコントロールユニット（図示せず）に接続されている。電線３１は、コネクタ１８のうちコネクタロック受け部３３が形成された側縁と反対側の側縁に配索されて、コネクタロック受け部３３とは反対側に設けられた電線収容溝３０に配される。
【００３５】
コネクタ１８は、コネクタ保持部２８内に、上下方向に移動可能に保持される。具体的には、コネクタ１８は、コネクタ保持部２８において、電圧出力端子２０に接続されていない非接続位置（例えば図６に示す位置）から、検出端子２１と電圧出力端子２０とを電気的に接続するとともに蓄電素子１１に係止される接続位置（図５に示す位置）に移動可能に保持されている。非接続位置においては、検出端子２１と電圧出力端子２０とは非接触状態となっている。また、接続位置においては、検出端子２１と電圧出力端子２０とが接触状態であるとともに、コネクタロック部１９とコネクタロック受け部３３とが弾性的に係止することによりコネクタ１８がフード部１７に抜け止め状態で保持されている。
【００３６】
図４及び図５に示すように、樹脂プロテクタ２３の長手方向に延びる側縁のうち、一の側縁には、樹脂プロテクタ２３の長手方向に延びると共に複数の電線３１が収容される外部電線収容溝４１が形成されている。外部電線収容溝４１に収容される外部電線４２は、樹脂プロテクタ２３とは異なる部材（図示せず）に接続されている。外部電線収容溝４１の側壁の上端部にはヒンジを介して蓋部４３が形成されている。この蓋部４３が閉じられることにより、外部電線収容溝４１に収容された外部電線４２が上方から覆われるようになっている。
【００３７】
（カバー４４）
図２に示すように、樹脂プロテクタ２３の上側（蓄電素子群１２と反対側）には、絶縁性の合成樹脂からなるカバー４４が取り付けられる。このカバー４４により、開口部２６等が覆われることにより、バスバー２２、電線３１、及びコネクタ１８が上方から覆われるようになっている。図７に示すように、カバー４４は細長い略長方形状の薄板状に形成されている。カバー４４の長手方向に延びる一対の側縁のうち、一の側縁には、樹脂プロテクタ２３の側壁に形成されたカバーロック部４５に対応する位置に、カバーロック部４５と弾性的に係止するカバーロック受け部４６が形成されている。図８に示すように、カバーロック部４５は樹脂プロテクタ２３の側壁（開口部２６の開口方向と交差する側壁）の外面から外方に突出して形成されている。また、カバーロック受け部４６は、カバー４４の側縁から垂下して形成されて、カバーロック部４５に対して下方から係止することにより、カバー４４が上方に外れることを抑制するようになっている。
【００３８】
図８に示すように、カバー４４は、左右方向の中央付近が上方に膨出した膨出部４７とされている。膨出部４７とカバー４４の左右両端部との間は、段差状に形成されており、カバー４４の板厚方向に屈曲する屈曲部４８とされる。
【００３９】
図８に示すように、右側の屈曲部４８にはカバー４４を貫通する貫通孔４９が形成されている。この貫通孔４９の内部に、樹脂プロテクタ２３の上面（開口部２６が形成された面）に設けられたカバー係止部５０が挿通されるようになっている。カバー係止部５０は、樹脂プロテクタ２３の上面から上方（開口部２６の開口方向）に突出する基部５１と、この基部５１の上端部からカバーロック部４５から離間する方向（開口部２６の開口方向と交差する方向）に突出して延びる突出部５２と、を備えるＬ字形状になっている。本実施形態においては、突出部５２は樹脂プロテクタ２３の長手方向と直交する方向に延びて形成されている。貫通孔４９の孔縁部は、貫通孔４９内にカバー係止部５０が挿通された状態で、カバー係止部５０と係止するカバー係止受け部５３とされる。
【００４０】
（接続検知部５４）
図８に示すように、カバー４４には、カバー４４が樹脂プロテクタ２３に取り付けられた状態において、コネクタ１８に対応する位置に、コネクタ１８に向かって突出する形状をなす接続検知部５４が、カバー４４と一体に形成されている。この接続検知部５４は、コネクタ１８がコネクタ保持部２８内において接続位置に保持されている状態ではコネクタ１８に干渉しないようになっている。また、接続検知部５４は、コネクタ１８がコネクタ保持部２８内において接続位置に保持されていない状態ではコネクタ１８に上方から当接して干渉するようになっている。なお、コネクタ１８が接続位置に保持されていない状態とは、コネクタ１８がコネクタ保持部２８内において非接続位置に保持されている状態を含むと共に、コネクタ１８がコネクタ保持部２８内において非接続位置にも保持されておらず、また、接続位置にも保持されていない状態も含む。
【００４１】
図７に示すように、接続検知部５４は、上方から見て略Ｃ字状に形成されている。接続検知部５４は、カバー４４の長手方向に沿って延びる比較的に長尺に形成された長尺部５５と、長尺部５５の両端部から長手方向と交差する方向（左方又は右方）に延出された比較的に短尺に形成された短尺部５６と、を備える。短尺部５６により、長尺部５５が撓み変形することが抑制されるようになっている。図２及び図８に示すように、長尺部５５はコネクタ１８のうちもっとも上方に突出した部分に上方から当接するようになっている。
【００４２】
図８には、コネクタ１８がコネクタ保持部２８内において接続位置に保持された状態、すなわち、コネクタ１８の正規嵌合状態を示す。コネクタ１８が接続位置に保持された状態においては、接続検知部５４はコネクタ１８の上端部と干渉しないようになっている。これにより、カバーロック部４５とカバーロック受け部４６との係止が許容され、カバー４４は樹脂プロテクタ２３に取り付けることができる。
【００４３】
一方、図６には、コネクタ１８がコネクタ保持部２８内において接続位置に保持されていない状態、すなわち、コネクタ１８の半嵌合状態を示す。コネクタ１８が半嵌合状態にある場合、接続検知部５４はコネクタ１８の上端部に上方から当接して干渉するようになっている。これにより、カバーロック部４５がカバーロック受け部４６に対応する位置にまで移動することができず、カバーロック部４５とカバーロック受け部４６との係止が許容されないようになっている。この結果、カバー４４を樹脂プロテクタ２３に取り付けることができないので、コネクタ１８が半嵌合状態にあることを容易に検知することができるようになっている。
【００４４】
（本実施形態の作用、効果）
続いて、本実施形態の作用、効果について説明する。まず、本実施形態に係る配線モジュール１３の組み付け工程の一例について説明する。なお、配線モジュール１３の組み付け工程は以下の記載に限定されない。
【００４５】
まず、バスバー２２を樹脂プロテクタ２３のバスバー収容部２５内に収容する。すると、バスバー２２はバスバー係止爪２７により抜け止め状態でバスバー収容部２５内に保持される。
【００４６】
次に、電線３１に接続された検出端子２１をコネクタ１８のキャビティ３５に収容する。続いて、コネクタ１８をコネクタ保持部２８に上方から嵌めこむ。コネクタ１８をコネクタ保持部２８に嵌め込むと、コネクタ保持部２８の抜け止め部２９により、コネクタ１８が上方に抜け止めされる。
【００４７】
次に、コネクタ１８から導出された電線３１を電線収容溝３０に収容する。電線３１を収容する際には、その電線３１が接続されているコネクタ１８のコネクタロック受け部３３とは反対側に形成された電線収容溝３０に収容する。
【００４８】
続いて、複数の蓄電素子１１を、隣り合う電極端子１４が異なる極性となるように並べて蓄電素子群１２を形成する。次に、バスバー２２及びコネクタ１８を配設した配線モジュール１３を、バスバー２２の挿通孔２４を電極端子１４の位置に合わせて、蓄電素子１１の電極端子１４が形成されている面に被せ付ける。すると、コネクタ保持部２８内に蓄電素子１１のフード部１７が配される。
【００４９】
次に、各バスバー２２に挿通された電極端子１４のねじ孔に電池接続用のボルト１６を螺合する。全てのボルト１６を螺合した後、各コネクタ１８を下方に押し込む。コネクタ１８を押し込む前においては、検出端子２１と電圧出力端子２０とは接触しておらず、非接続状態である。コネクタ１８を押しこむと、タワー部３４がフード部１７内に嵌入すると共に、フード部１７がタワー部３４と覆い壁３７との隙間３８に受け入れられる。コネクタ１８を、コネクタロック受け部３３とコネクタロック部１９とが当接する位置まで押しこむと、コネクタロック受け部３３が外側方向に撓み変形する。
【００５０】
さらにコネクタ１８を下方に押し込むと、コネクタ１８内の各検出端子２１の接続筒部４０内に、対応する位置にある各電圧出力端子２０が受け入れられる。更にコネクタ１８を押し込むと、コネクタロック受け部３３が弾性復帰して、コネクタ１８がフード部１７（単電池）に対して係止される。その一方で、コネクタ１８の各検出端子２１の接続筒部４０とフード部１７の電圧出力端子２０とが接触状態に至り、蓄電素子群１２と電圧検知検出端子２１とが電気的に接続される。
【００５１】
コネクタ１８を下方に押し込むことによりコネクタ１８と単電池との接続作業が終了すると、電線収容溝３０内に導入された電線３１は、電線保持部３２によって押さえられて、電線収容溝３０から外れることが規制される（図５を参照）。
【００５２】
続いて、配線モジュール１３の上面に、上方から（蓄電素子群１２と反対側から）カバー４４を取り付ける。このとき、貫通孔４９内にカバー係止部５０を挿通させる（図９参照）。その後、カバー４４を、左方にスライドさせて、カバーロック部４５に接近させる（図１０参照）。すると、カバー係止部５０の基部５１が貫通孔４９の孔縁部に左方から当接する。また、カバー係止部５０の突出部５２が、カバー４４に上方（開口部２６の開口方向と反対方向）からカバー４４が上方に移動することを抑制する。
【００５３】
次いで、カバーロック受け部４６を下方に移動させる。カバーロック受け部４６がカバーロック受け部４６に上方から当接すると、カバーロック受け部４６が外方に弾性変形する。更にカバーロック受け部４６を下方に押し込むと、カバーロック受け部４６が復帰変形し、カバーロック部４５とカバーロック受け部４６とが弾性的に係止する。このとき、屈曲部４８がカバー４４の厚さ方向に屈曲することにより、カバーロック受け部４６を容易に下方に移動させることができる。
【００５４】
カバー４４が配線モジュール１３に取り付けられることにより、カバー４４は、バスバー２２、電線３１、及びコネクタ１８を上方から覆うようになっている。これにより蓄電モジュール１０が完成する。
【００５５】
本実施形態によれば、カバー係止部５０とカバー係止受け部５３とが係止すると共にカバーロック部４５とカバーロック受け部４６とが係止することにより、カバー４４が樹脂プロテクタ２３に取り付けられる。カバー係止部５０は樹脂プロテクタ２３のうち蓄電素子１１と反対側の位置に形成されているので、カバー係止部５０が樹脂プロテクタ２３の側壁から外方に突出しないようになっている。これにより、樹脂プロテクタ２３の両側壁に外方に突出するカバーロック部４５を形成する場合に比べて、配線モジュール１３を小型化することができる。
【００５６】
また、本実施形態によれば、カバー係止部５０は、開口方向に突出する基部５１と、基部５１の先端から開口方向と交差する方向に突出する突出部５２と、を備え、カバー係止受け部５３は、カバー４４に形成された貫通孔４９の孔縁部であって、カバー係止部５０が貫通孔４９内に挿通された状態で、突出部５２が孔縁部に開口方向と反対方向から当接することによりカバー４４の開口方向への外れ止めがなされる。これにより、カバー係止部５０を貫通孔４９に挿通するという簡易な手法により、カバー４４が開口部２６の開口方向に外れることを抑制することができる。
【００５７】
また、本実施形態によれば、突出部５２はカバーロック部４５から離間する方向に延出して形成されており、カバー係止部５０は、貫通孔４９内に挿通された後に、カバーロック部４５に接近する方向にスライドされることにより、カバー係止受け部５３と係止する。これにより、カバー係止部５０は、カバーロック部４５側からカバー係止受け部５３に係止する。これにより、カバーロック部４５とカバーロック受け部４６との係止構造が外れる方向にカバー４４が移動することを抑制することができる。この結果、カバー４４と樹脂プロテクタ２３とを強固に係止させることができる。
【００５８】
また、本実施形態によれば、カバー４４は、カバー係止受け部５３とカバーロック受け部４６との間に、カバー４４の厚さ方向に屈曲する屈曲部４８を備える。これにより、カバー４４を屈曲部４８で屈曲させながら、カバーロック部４５とカバーロック受け部４６とを係止することができる。これにより、カバー４４が剛直な材料からなることによりカバーの厚さ方向に折り曲げにくくなっている場合に比べて、カバー４４を樹脂プロテクタ２３に取り付ける際の作業性を向上させることができる。
【００５９】
＜他の実施形態＞
本発明は上記記述及び図面によって説明した実施形態に限定されるものではなく、例えば次のような実施形態も本発明の技術的範囲に含まれる。
【００６０】
（１）屈曲部４８は、カバー４４に一体に形成されて、カバー４４の厚さよりも薄く形成されたセルフヒンジであってもよい。
【００６１】
（２）本実施形態では、カバー４４を樹脂プロテクタ２３に対してスライドさせることによりカバー係止部５０とカバー係止受け部５３とが係止する構成としたが、これに限られず、カバー係止部５０とカバー係止受け部５３とは、カバー４４を樹脂プロテクタ２３の開口部２６の開口方向と反対方向から接近させることにより係止させる構成としてもよい。
【００６２】
（３）本実施形態においては、蓄電素子１１は蓄電池としたが、これに限られず、電気二重層キャパシタ、リチウムイオンキャパシタ、レドックスキャパシタ等、必要に応じて任意の蓄電素子を用いることができる。
【００６３】
（４）本実施形態においては、カバー係止部５０は開口方向に突出する構成としたが、これに限られず、カバー係止受け部５３がカバー４４から樹脂プロテクタ２３に向かって突出する構成としてもよい。
【符号の説明】
【００６４】
１１：蓄電素子
１２：蓄電素子群
１３：配線モジュール
１４：電極端子
２２：バスバー
２３：樹脂プロテクタ
２６：開口部
４４：カバー
４５：カバーロック部
４６：カバーロック受け部
４８：屈曲部
５０：カバー係止部
５１：基部
５２：突出部
５３：カバー係止受け部
【図１】
2014149982.tif 000003
【図２】
2014149982.tif 000004
【図３】
2014149982.tif 000005
【図４】
2014149982.tif 000006
【図５】
2014149982.tif 000007
【図６】
2014149982.tif 000008
【図７】
2014149982.tif 000009
【図８】
2014149982.tif 000010
【図９】
2014149982.tif 000011
【図１０】
2014149982.tif 000012